(57)【要約】      （修正有）【課題】電子機器の形状は損なわれず、そして、カバーは蓋に干渉することのないヒンジ構造と該ヒンジを備えた電子機器を提供する。【解決手段】カバー４０と電子機器のベース５０の間に設け、蓋６０は、上記ヒンジを覆い、ベースに取り付ける。このヒンジは、カム翼、スリーブ３１、回転軸およびピンを有する。該回転軸はスリーブに摺動可能に取り付けられる。上記ピンは、上記スリーブに摺動可能に又横軸方向に貫いて取り付けられ、上記回転軸に確実に取り付けられ、上記カム翼の外端に沿って摺動する。上記カバーがある角度に回動すると、上記ピンは、大きな径を有するカム翼の部分を摺動して、上記カバーを徐々に持ち上げ、カバーが上記蓋から選択的に遠のくように構成する。【選択図】図４
0003151114.tif 000002
【実用新案登録請求の範囲】
【請求項１】
側端面を有する取付翼と、取付翼の側端面に形成され、外端面を有するカム翼を有する第１チルトブラケットと、および、該第１チルトブラケットの反対側にある第２チルトブラケットと、を有する
ブラケット組立体と；
上記第１および第２チルトブラケットの間に設けられ、
第１側面と、該第１側面の反対側にある第２側面と、第１端面と、該第１端面の反対側にあり、上記第１および第２側面に隣接する第２端面にそれぞれ形成される第２端面を有する中央フレームと、
上記中央フレームの第１端面に形成され横軸方向に突出し、上記第１チルトブラケットを貫いて回転自在に取り付けられる第１チルト軸と、
上記中央フレームの第２端に設けられ横軸方向に突出され、第２チルトブラケットを貫いて回転自在に取り付けられる第２チルト軸と、から成る
チルト組立体と；
上記ブラケット組立体とチルト組立体に連結され、
上記中央フレームを貫いて設けられ、側壁と、連結端と、該連結端の反対側にある保持端と、スリーブの側壁を貫いて形成される少なくとも１つのスロットを有する中空のスリーブと、
上記スリーブにスライド自在に取り付けられ、該スリーブの保持端から外方に突出する回転軸と、
上記スリーブに設けられ、上記回転軸の周りに取り付けられる弾性部材と、および
上記スリーブの対応するスロットを貫いて設けられ、上記回転軸に確実に取り付けられ、上記弾性部材を押圧し、上記第１チルトブラケットのカム座金の外端に沿ってスライドするピンと、から成る
回転組立体と、
から構成されることを特徴とするヒンジ。
【請求項２】
上記チルト組立体が、
上記第２チルト軸の周りに回転自在に取り付けられ、上記第１チルトブラケットのカム翼の外端に対応する外端を有するカムと、該カムと第２チルトブラケットに確実に取り付けられる連結ロッドを有し、
上記スリーブが、相互に向かい合う２つのスロットを有し、および
上記回転組立体が、上記スリーブの対応するスロットを貫いて設けられ、上記回転軸に確実に取り付けられ、弾性部材を押圧して、カムの外端に沿ってスライドするピンを有する、
ことを特徴とする請求項１に記載のヒンジ。
【請求項３】
上記回転組立体が、上記スリーブにスライド自在に設けられ、回転軸の周りに取り付けられる押圧座金と、上記スリーブの保持端に確実に取り付けられ、回転軸の周りに設けられる保持座金を有し、
上記弾性部材が、上記押圧座金と保持座金の間に設けられ、および
上記ピンが押圧座金を押圧する、
ことを特徴とする請求項２に記載のヒンジ。
【請求項４】
上記ブラケット組立体が、上記回転軸に確実に取り付けられている回転ブラケットを有する、
ことを特徴とする請求項１ないし３のいずれかの項に記載のヒンジ。
【請求項５】
上記スプリングが、上記第２チルト軸の周りに設けられ、上記カムと第２チルトブラケットの間に設けられ、および
上記位置決め組立体が、上記第２チルト軸の周りに設けられ、上記スプリングと第２チルトブラケットの間に設けられる、
ことを特徴とする請求項２または３に記載のヒンジ。
【請求項６】
上記第１チルトブラケットの取付翼が、当接面と、該当接面に形成され、上記取付翼の側端面の近くの取付翼の当接面に形成される規制溝を有し、
上記第２チルトブラケットが、当接面と、上記第２チルトブラケットの当接面に形成される規制溝を有し、および
上記チルト組立体が、上記第１および第２チルト軸にそれぞれ確実に取り付けられ、各固定リングが、
外端と、上記固定リングの外端に設けられて縦軸方向に突出し、対応するチルトブラケットの規制溝に選択的に突出する規制突起と、を有する、
ことを特徴とする請求項１ないし５のいずれかの項に記載のヒンジ。
【請求項７】
上記チルト組立体の中央フレームが、上記第１および第２側面を貫いて縦軸方向に形成される取付孔と、上記第２側面に形成されて縦軸方向に突出する規制突起と、上記第２側面に形成され、上記中央フレームの取付孔に隣接する２つの位置決め突起を有し、
上記スリーブが、上記中央フレームの取付孔に形成され、上記スリーブの連結端に形成され、縦軸方向に突出する取付ロッドを有し、および
上記回転組立体が、
上記中央フレームの第２側面に面する当接面と、位置決め座金の当接面に形成され、上記中央フレームの位置決め突起に選択的に係合する２つの位置決め溝を有する位置決め座金と、
上記スリーブの取付ロッドの周りに設けられ、位置決め座金に当接する複数の弾性座金と、
上記スリーブの取付ロッドの周りに設けられ、環状端と、規制リングの環状溝に横軸方向に形成され、上記中央フレームの規制突起に選択的に当接する規制リングと、
上記スリーブの取付ロッドの周りに確実に取り付けられ、上記規制リングと、弾性座金と、位置決め座金を保持する固定リング、
を有する、
ことを特徴とする請求項１ないし６のいずれかの項に記載のヒンジ。
【請求項８】
バースと、該ベースに枢着されたカバーと、該ベースとカバーの間に連結されるヒンジと、該ヒンジを覆い、上記ベースに確実に取り付けられる蓋から成り、
上記ヒンジが、
側端面を有する取付翼と、取付翼の側端面に形成され、外端面を有するカム翼を有する第１チルトブラケットと、および、該第１チルトブラケットの反対側にある第２チルトブラケットと、を有する
ブラケット組立体と；
上記第１および第２チルトブラケットの間に設けられ、
第１側面と、該第１側面の反対側にある第２側面と、第１端面と、該第１端面の反対側にあり、上記第１および第２側面に隣接する第２端面にそれぞれ形成される第２端面を有する中央フレームと、
上記中央フレームの第１端面に形成され横軸方向に突出し、上記第１チルトブラケットを貫いて回転自在に取り付けられる第１チルト軸と、
上記中央フレームの第２端に設けられ横軸方向に突出され、第２チルトブラケットを貫いて回転自在に取り付けられる第２チルト軸と、から成る
チルト組立体と；
上記ブラケット組立体とチルト組立体に連結され、
上記中央フレームを貫いて設けられ、側壁と、連結端と、該連結端の反対側にある保持端と、スリーブの側壁を貫いて形成される少なくとも１つのスロットを有する中空のスリーブと、
上記スリーブにスライド自在に取り付けられ、該スリーブの保持端から外方に突出する回転軸と、
上記スリーブに設けられ、上記回転軸の周りに取り付けられる弾性部材と、および
上記スリーブの対応するスロットを貫いて設けられ、上記回転軸に確実に取り付けられ、上記弾性部材を押圧し、上記第１チルトブラケットのカム座金の外端に沿ってスライドするピンと、から成る
回転組立体と、
から構成される
ことを特徴とする電子機器。
【請求項９】
上記チルト組立体が、
上記第２チルト軸の周りに回転自在に取り付けられ、上記第１チルトブラケットのカム翼の外端に対応する外端を有するカムと、該カムと第２チルトブラケットに確実に取り付けられる連結ロッドを有し、
上記スリーブが、相互に向かい合う２つのスロットを有し、および
上記回転組立体が、上記スリーブの対応するスロットを貫いて設けられ、上記回転軸に確実に取り付けられ、弾性部材を押圧して、カムの外端に沿ってスライドするピンを有する。
ことを特徴とする請求項８に記載の電子機器。
【請求項１０】
上記回転組立体が、上記スリーブにスライド自在に設けられ、回転軸の周りに取り付けられる押圧座金と、上記スリーブの保持端に確実に取り付けられ、回転軸の周りに設けられる保持座金を有し、
上記弾性部材が、上記押圧座金と保持座金の間に設けられ、および
上記ピンが押圧座金を押圧する、
ことを特徴とする請求項９に記載の電子機器。
【請求項１１】
上記ブラケット組立体が、上記回転軸に確実に取り付けられている回転ブラケットを有する、
ことを特徴とする請求項８ないし１０のいずれかの項に記載の電子機器。
【請求項１２】
上記チルト組立体が、
上記第２チルト軸の周りに回転自在に取り付けられ、上記第１チルトブラケットのカム翼の外端に対応する外端を有するカムと、該カムと第２チルトブラケットに確実に取り付けられる連結ロッドを有し、
上記スリーブが、相互に向かい合う２つのスロットを有し、および
上記回転組立体が、上記スリーブの対応するスロットを貫いて設けられ、上記回転軸に確実に取り付けられ、弾性部材を押圧して、カムの外端に沿ってスライドするピンを有する、
ことを特徴とする請求項９または１０に記載の電子機器。
【請求項１３】
上記第１チルトブラケットの取付翼が、当接面と、該当接面に形成され、上記取付翼の側端面の近くの取付翼の当接面に形成される規制溝を有し、
上記第２チルトブラケットが、当接面と、上記第２チルトブラケットの当接面に形成される規制溝を有し、および
上記チルト組立体が、上記第１および第２チルト軸にそれぞれ確実に取り付けられ、各固定リングが、
外端と、上記固定リングの外端に設けられて縦軸方向に突出し、対応するチルトブラケットの規制溝に選択的に突出する規制突起と、を有する、
ことを特徴とする請求項８ないし１２のいずれかの項に記載の電子機器。
【請求項１４】
上記チルト組立体の中央フレームが、上記第１および第２側面を貫いて縦軸方向に形成される取付孔と、上記第２側面に形成されて縦軸方向に突出する規制突起と、上記第２側面に形成され、上記中央フレームの取付孔に隣接する２つの位置決め突起を有し、
上記スリーブが、上記中央フレームの取付孔に形成され、上記スリーブの連結端に形成され、縦軸方向に突出する取付ロッドを有し、および
上記回転組立体が、
上記中央フレームの第２側面に面する当接面と、位置決め座金の当接面に形成され、上記中央フレームの位置決め突起に選択的に係合する２つの位置決め溝を有する位置決め座金と、
上記スリーブの取付ロッドの周りに設けられ、位置決め座金に当接する複数の弾性座金と、
上記スリーブの取付ロッドの周りに設けられ、環状端と、規制リングの環状溝に横軸方向に形成され、上記中央フレームの規制突起に選択的に当接する規制リングと、
上記スリーブの取付ロッドの周りに確実に取り付けられ、上記規制リングと、弾性座金と、位置決め座金を保持する固定リング、
を有する、
ことを特徴とする請求項８ないし１３のいずれかの項に記載の電子機器。
【考案の詳細な説明】
【技術分野】
【０００１】
本考案は、ヒンジおよびそのヒンジを備えた電子機器に関し、特に、カバーおよび電子機器のベース間に設けられ、カバーが回動している間にスライドする軸を有するヒンジに関する。
【背景技術】
【０００２】
第７図および第８図において、携帯電話やノート型コンピュータなどの従来型電子機器は、ベース９０，９０Ａ、カバー９２，９２Ａ、従来型ヒンジ９１，９１Ａ、蓋９３，９３Ａを有する。該従来型ヒンジ９１，９１Ａは、上記ベース９０，９０Ａとカバー９２，９２Ａの間に設けられて、該カバー９２，９２Ａを該ベース９０，９０Ａに対して回動可能とする。上記蓋９３，９３Ａは、上記ベース９０，９０Ａに取り付けられ、上記従来型ヒンジ９１，９１Ａを覆って、従来型電子機器を装飾する。
【０００３】
上記カバー９２，９２Ａが上記ベース９０，９０Ａに対して回動すると、上記蓋９３，９３Ａが該カバー９２，９２Ａの端部に当接して、該カバー９２，９２Ａの回動を阻止する。該カバー９２，９２Ａと該蓋９３，９３Ａとの当接を解消するために、次のような２つの従来方法がある。
【０００４】
図７に、１つの従来型電子機器を示す。カバー９２に近い蓋９３の端部は、傾斜面９４を有する。該カバー９２は該傾斜面９４に沿って回動するので、該蓋９３は該カバー９２の回動を阻止することはない。しかしながら、該傾斜面９４は、従来型電子機器の全体の外観を損なう。
【０００５】
図８に、もう１つの従来型電子機器を示す。上記カバー９２Ａと上記蓋９３Ａの間には、隙間が形成されている。従って、該カバー９２Ａは、これが回動する際に、該蓋９３Ａから遠のいている。しかしながら、この隙間は、従来型電子機器の外観を損なうだけでなく、該従来型電子機器のザイズを増大させることになる。
【０００６】
したがって、カバー９２，９２Ａと蓋９３，９３Ａとの当接を解消するための上記従来方法は、従来型電子機器の外観を損ない、該従来型電子機器のサイズを増大させる。従来型電子機器の外観を損ない、該従来型電子機器のサイズを増大させることは、市場の要請に逆らうことになる。
【０００７】
これらの欠点を克服するために、本考案は、上述の問題点を緩和し、或いは、除去することができるヒンジおよび該ヒンジを備えた電子機器を提供する。
【考案の概要】
【考案が解決しようとする課題】
【０００８】
本考案の主な目的は、カバーを所望通りに持ち上げることが出来、ヒンジおよびそのヒンジを備えた電子機器を提供することを課題とする。
【０００９】
本考案の他の目的、利点および新規な特徴は、添付図面と共に、以下の詳細な記載から更に明らかとなる。
【課題を解決するための手段】
【００１０】
本考案のヒンジは、カバーと電子機器のベースの間に設けられる。この蓋は、上記ヒンジを覆い、ベースに確実に取り付けられる。このヒンジは、カム翼、スリーブ、回転軸およびピンを有する。該回転軸はスリーブに摺動可能に取り付けられる。上記ピンは、上記スリーブに摺動可能に又横軸方向に貫いて取り付けられ、上記回転軸に確実に取り付けられ、上記カム翼の外端に沿って摺動する。上記カバーがある角度に回動すると、上記ピンは、大きな径を有するカム翼の部分を摺動して、上記カバーを徐々に持ち上げ、カバーが上記蓋から選択的に遠のく。従って、電子機器の形状は損なわれず、そして、カバーは蓋に干渉しない。
【考案の効果】
【００１１】
本考案のヒンジおよびそのヒンジを備えた電子機器は、上記カバーが或る角度に回転すると、上記ヒンジはカバーを円滑にリフトアップする。従って、上記電子機器の形状は、その外観を損なうものではなく、上記カバーは上記蓋に干渉しない。さらに、上述の電子機器は小さいコンパクトなサイズとすることができ、上記カバーが円滑に回転して、非常に美しい形状とすることができる。
【図面の簡単な説明】
【００１２】
【図１】本考案に従うヒンジの一部分解斜視図である。
【図２】図１のヒンジの別の部分の分解斜視図である。
【図３】図１のヒンジの斜視図である。
【図４】図１のヒンジを備えた、本考案に従う電子機器の斜視図である。
【図５】図４の電子機器の一部拡大断面図である。
【図６Ａ】図４の電子機器の作用側面図である。
【図６Ｂ】図４の電子機器の作用側面図である。
【図６Ｃ】図４の電子機器の作用断面図である。
【図７】従来技術にしたがう従来型電子機器の作用側面図である。
【図８】従来技術にしたがう他の従来型電子機器の作用側面図である。
【考案を実施するための形態】
【００１３】
以下、本考案のヒンジおよびそのヒンジを備えた電子機器の実施例について、図面を参照しながら説明する。
図１おおび図３において、本考案によるヒンジは、ブラケット組立体１０、チルト組立体２０および回転組立体３０から成る。
【００１４】
上記ブラケット組立体１０は、第１チルトブラケット１１、第２チルトブラケット１２および回転ブラケット１３から成る。
【００１５】
上記第１チルトブラケット１１は、取付翼およびカム翼１６を有する。該取付翼は、側端、隣接面および規制溝を有する。該規制溝は、上記側端近くの取付翼の隣接面に形成されている。上記カム翼１６は、上記取付翼の側端に形成されており、上記取付翼に対して垂直となっており、中心および外端１４を有する。上記カム翼１６は、上記外端１４の幾つかの部分が大きな径を有し、上記外端１４の幾つかの他の部分が小さな径を有するように、複数の径を有する。
【００１６】
上記第２チルトブラケット１２は、上記第１チルトブラケット１１の反対側にあり、隣接面と規制溝１５を有する。該規制溝１５は、上記第２チルトブラケット１２の隣接面を有する。
【００１７】
上記チルト組立体２０は、中央フレーム２１、第１チルト軸、断２チルト軸、カム２２、連結ロッド２３、スプリング２４、位置決め組立体２５および２つの固定リング２６から構成されている。
【００１８】
上記中央フレーム２１は、上記第１および第２チルトブラケット１１、１２の間に設けられ、第１側面、第２側面、第１端面、第２端面、取付孔２８、規制突起２７および２つの位置決め突起２９を有する。該第２側面は上記第１側面の反対側にある。上記第２端面は、上記第１端面の反対側にあり、上記第１および第２側面に隣接する。上記取付孔２８は、上記第１および第２側面を貫いて縦軸（長手）方向に形成されている。上記規制突起２７は上記第２側面に形成されると共に該側面から縦軸方向に突出する。上記位置決め突起２９は上記第２側面に形成され、上記取付孔２８に隣接する。
【００１９】
上記第１チルト軸は、上記中央フレーム２１の第１端面に形成され、該端面から横軸（上記縦軸に対して直交する軸：以下同じ）方向に突出し、上記第１チルトブラケット１１を貫いて枢着され、非円形断面となっている。
【００２０】
上記第２チルト軸２１１は、上記中央フレーム２１の第２端面に形成され、該端面から横軸方向に突出し、上記第２チルトブラケット１２を貫いて枢着され、非円形断面となっている。
【００２１】
上記カム２２は、上記第２チルトブラケット１２の周りに枢着され、上記第１チルトブラケット１１のカム翼１６の外端１４に対応する外端２２１を有する。
【００２２】
上記連結ロッド２３は、上記カム２２および上記第２チルトブラケット１２を貫いてそれぞれ設けられ、確実に取り付けられて、上記カム２２を上記第２チルトブラケット１２に固定する。
【００２３】
上記スプリング２４は、上記カム２２と上記第２チルトブラケット１２の間の上記第２チルト軸２１１の周りに設けられる。
【００２４】
上記位置決め組立体２５は、上記スプリング２４に対して上記第２チルト軸１３の周りに設けられ、該スプリング２４と上記第２チルトブラケット１２の間に設けられて位置決め機能を発揮する。上記位置決め組立部材２５は、回転位置決め座金および固定位置決め座金から構成され、相互に相対回転して、対応する位置決め突起と位置決め爪を有する。
【００２５】
上記固定リング２６は、上記第１チルト軸と上記第２チルト軸２１１にそれぞれ確実に取り付けられている。各固定リング２６は、外端と規制突起２６１を有する。該規制突起２６１は、該規制突起２６１が対応するチルトブラケット１１、１２の規制溝１５に選択的に係合して、上記第１チルト軸および第２チルト軸２１１の回転角を規制するような方法で、上記固定リング２６の外端に形成され、縦軸方向に突出している。
【００２６】
上記回転組立体３０は、上記ブラケット組立体１０およびチルト組立体２０に連結される。該回転組立体３０は、スリーブ３１、回転軸３２、押圧座金３６、保持座金３５、弾性部材３４、２つのピン３３、位置決め座金３７、複数の弾性座金３８、規制リング３９および固定リングから構成されている。
【００２７】
上記スリーブ３１は、上記中央フレーム２１を貫いて回転自在に取り付けられ、該中央フレーム２１の取付孔２８を貫いて回転自在に取り付けても良い。上記スリーブ３１は、側壁、連結端、保持端、少なくとも１つのスロット３１１、取付ロッド３１２および２つの固定突起３１３を有する。該保持端は上記連結端の反対側にある。上記スロット３１１は上記スリーブ３１を貫いて形成されている。上記スリーブ３１は２つのスロット３１１を有してもよく、該スロット３１１は相互に反対側にある。上記取付ロッド３１２は、上記スリーブ３１の連結端に形成され、これから縦軸方向に突出し、上記チルト組立体２０の中央フレーム２１を貫いて回転自在に取り付けられ、非円形断面を有し、ネジ付き外壁を有しても良い。上記固定突起３１３は、上記スリーブ３１の保持端に分かれて形成され、縦軸方向に突出している。
【００２８】
上記回転軸３２は、上記スリーブ３１に摺動自在に設けられ、該スリーブ３１の保持端から突出し、上記回転ブラケット１３に確実に取り付けても良い。
【００２９】
上記押圧座金３６は、上記スリーブ３１に摺動自在に設けられ、上記回転軸３２の周りに取り付けられる。
【００３０】
上記保持座金３５は、上記スリーブ３１の保持端に確実に取り付けられ、上記回転軸３２の周り設けられ、上記スリーブ３１の固定突起３１３の周りに確実に取り付けられている２つのノッチを有する。
【００３１】
上記弾性部材３４は、上記スリーブ３１に設けられ、上記押圧座金３６および保持座金３５の間に設けられ、隣接している。
【００３２】
上記各ピン３３は、上記スリーブ３１の対応するスロット３１１を貫いて設けられ、上記回転軸３２に確実に取り付けられ、上記弾性部材３４に対して押圧し、上記押圧座金３６に対して押圧することもできる。１つのピン３３は、上記第１チルトブラケット１１のカム翼１６の外端１４に沿って摺動し、他のピン３３は、上記カム２２の外端２２１に沿って摺動する。
【００３３】
上記位置決め座金３７は、上記スリーブ３１の取付ロッド３１２の周りに設けられ、上記取付ロッド３１２、隣接面および２つの位置決め溝３７１の形状に符合するように設計された非円形中央孔を有する。該位置決め溝３７１の隣接面は、上記中央フレーム２１の第２側面に面する。上記位置決め溝３７１は、上記位置決め座金３７の隣接面に形成され、上記中央フレーム２１の位置決め突起２９に選択的に係合して、位置決め機能を発揮する。
【００３４】
上記弾性座金３８は、上記スリーブ３１の取付ロッド３１２周りに設けられ、位置決め座金３７に隣接する。
【００３５】
上記位置決めリング３９は、上記スリーブ３１の取付ロッド３１２の周りに設けられ、非円形孔と、環状端と、および規制突起２７１を有する。該非円形孔は上記取付ロッド３１２に係合して、上記規制リング３９を該取付ロッド３１２に確実に取り付ける。上記規制突起２７１は、上記規制リング３９の環状端に横軸方向に取り付けられ、上記中央フレーム２１の規制突起２７に選択的に隣接して、上記スリーブ３１の回転角を規制する。
【００３６】
上記固定リングは、上記スリーブ３１の取付ロッド３１２の周りに確実に取り付けられて、上記規制リング３９、弾性座金３８および位置決め座金３７を保持し、上記取付ロッド３１２のネジ付き外壁に螺合するナットであっても良い。
【００３７】
図４および図５において、本考案による電子機器は、カバー４０、ベース５０、上述のヒンジおよび蓋６０から成る。上記カバー４０はベース５０に枢着されている。上述のヒンジは、カバー４０とベース５０の間に枢着されている。上記回転軸３２は、上記カバー４０に強固に連結されるか、または、上記回転ブラケット１３が上記カバー４０に強固に取り付けられる。上記第１および第２チルトブラケット１１、１２は、上記ベース５０に強固に取り付けられる。上記蓋６０は、上述のようにヒンジを覆い、該ベース５０に強固に取り付けられる。
【００３８】
図６Ａ，図６Ｂおよび図６Ｃにおいて、上記カバー４０は上記ベース５０に対して枢着されている。該カバー４０は、上記回転軸３２および上記中央フレーム２１を保持して、上記第１および第２チルトブラケット１１、１２に対して枢着されている。上記ピン３３が、上記カム座金１６とカム２２の大きな径部分に近づく時、上記回転軸３２は、縦軸方向に沿って情報に摺動して、上記カバー４０を徐々に上昇する。該カバー４０は上記蓋６０から離れるので、該カバー４０は回動しても該蓋６０に干渉しない。
【００３９】
上記回転軸３２が上方に摺動すると、上記ピン３３が上記スロット３１１内を摺動せしめる。該ピン３３は上記押圧座金３６を押して、上記弾性部材３４を押圧する。上記カバー４０が連続して回転すると、上記ピン３３は、上記カム翼１６とカム２２の小さな径部分の上記外端１４、２２１の一部分に近づく。そして、上記弾性部材３４は、上記押圧座金３６を押圧して、上記ピン３３をスライドさせるように押す。該ピン３３は、上記回転軸３２を元の位置に元の位置に押してスライドさせる。従って、上記カバー４０は元の位置に戻る。
【００４０】
上述のヒンジおよび電子機器は次のような利点を有する。上記カバー４０が或る角度に回転すると、上記ヒンジはカバー４０を円滑にリフトアップする。従って、上記電子機器の形状は、その外観を損なうものではなく、上記カバー４０は
上記蓋６０に干渉しない。さらに、上述の電子機器は小さいサイズとすることができ、上記カバー４０が円滑に回転して、非常に美しい形状とすることができる。    
【００４１】
たとえ本考案の多数の特徴や利点が上述のように記載されていたとしても、本考案の構成や特徴は単なる実施例に過ぎず、本考案はこれらの実施例に限定されるものではない。特に本考案の構成部材の形、サイズおよび配置等の変更は、詳細な説明では十分ではなく、請求範囲において表現される用語は、広い一般的な意味にしたがって解釈されるべきである。
【符号の説明】
【００４２】
１０    ブラケット組立体
１１    第１チルトブラケット
１２    第２チルトブラケット
１３    回転ブラケット
１４    外端
１５    規制溝
１６    カム翼
２０    チルト組立体
２１    中央フレーム
２１１  第２チルト軸
２２    カム
２２１  外端
２３    連結ロッド
２４    スプリング
２５    位置決め組立体
２６    固定リング
２６１  規制突起
２７    規制突起
２７１  規制突起
２８    取付孔
３０    回転組立体
２９    位置決め突起
３１    スリーブ
３１１  スロット
３１２  取付ロッド
３１３  固定突起
３２    回転軸
３３    ピン
３４    弾性部材
３５    保持座金
３６    押圧座金
３７    位置決め座金
３７１  位置決め溝
３８    弾性座金
３９    規制リング
４０    カバー
５０    ベース
６０    蓋
【図１】
0003151114.tif 000003
【図２】
0003151114.tif 000004
【図３】
0003151114.tif 000005
【図４】
0003151114.tif 000006
【図５】
0003151114.tif 000007
【図６Ａ】
0003151114.tif 000008
【図６Ｂ】
0003151114.tif 000009
【図６Ｃ】
0003151114.tif 000010
【図７】
0003151114.tif 000011
【図８】
0003151114.tif 000012